(57)【要約】【課題】患部を積極的に治療することができるサポータの提供。【解決手段】サポータ１は、身体に装着される筒状のサポータ本体２と、このサポータ本体２の内周面に設けられる複数の電極部３とを備える。各電極部３は、合成樹脂にイオン化傾向の異なる粒状または粉状の２種類の金属を混合して分散させたものから形成される。このような構成のサポータ１は、膝などの身体の一部に装着することで、イオン化傾向の異なる２種類の金属により生じる電流を身体内に流すことができる。【選択図】図１
2017153513.tif 000002
【特許請求の範囲】
【請求項１】
身体に装着されるサポータ本体と、
前記サポータ本体の皮膚接触面側に設けられ、合成樹脂に粒状または粉状に形成されたイオン化傾向の異なる２種類の金属を混合して分散させた樹脂体からなる電極部と
を備えることを特徴とするサポータ。
【請求項２】
前記２種類の金属は、前記合成樹脂に対して体積比で２０〜４０％混合されている
ことを特徴とする請求項１に記載のサポータ。
【請求項３】
前記２種類の金属の内の一方の金属と他方の金属との体積比が１：１とされる
ことを特徴とする請求項１または請求項２に記載のサポータ。
【請求項４】
前記電極部は、互いに離隔して複数形成されている
ことを特徴とする請求項１〜３のいずれか１項に記載のサポータ。
【発明の詳細な説明】
【技術分野】
【０００１】
本発明は、身体の関節部などに装着されるサポータに関するものであり、特に、金属間のイオン化傾向の違いにより生じる微電流を身体に流すことができるサポータに関するものである。
【背景技術】
【０００２】
従来、サポータは、身体の疲労感や痛みを和らげる際に用いられている。たとえば、下記特許文献１には、遠赤外線により腰部の疲労感を軽減することができる腰部サポーターが開示されている。この腰部サポーターは、着用者の腰部の周りに取り付けられるベルトと、ベルトに取り付けられた遠赤外線発生部材とから構成されており、遠赤外線発生部材が腰部の背面に配置されるようにして腰部に巻き付けられる。
【先行技術文献】
【特許文献】
【０００３】
【特許文献１】特開２００８−１９４１５０号公報
【発明の概要】
【発明が解決しようとする課題】
【０００４】
しかしながら、従来のサポータは、身体の疲労感や痛みを和らげるものであり、身体に積極的に働きかけて患部を治療するものではなく、その解決が望まれている。そこで、本発明は、このような問題に鑑みてなされたものであり、その主たる目的は、簡易な構成で、患部を積極的に治療することができるサポータを提供することにある。
【課題を解決するための手段】
【０００５】
上記目的を達成するための本発明に係るサポータは、身体に装着されるサポータ本体と、前記サポータ本体の皮膚接触面側に設けられ、合成樹脂に粒状または粉状に形成されたイオン化傾向の異なる２種類の金属を混合して分散させた樹脂体からなる電極部とを備えることを特徴とする。
【０００６】
また、本発明に係るサポータは、前記２種類の金属は、前記合成樹脂に対して体積比で２０〜４０％混合されていることを特徴とする。
【０００７】
また、本発明に係るサポータは、前記２種類の金属の内の一方の金属と他方の金属との体積比が１：１とされることを特徴とする。
【０００８】
さらに、本発明に係るサポータは、前記電極部は、互いに離隔して複数形成されていることを特徴とする。
【発明の効果】
【０００９】
本発明に係るサポータによれば、イオン化傾向の異なる２種類の金属を混合した合成樹脂からなる電極部を有しているので、身体に装着した際に、いわゆる電池と同様の化学反応が生じ、身体内に電流を流すことができる。
【００１０】
具体的には、身体の表面の汗などの水分が電解質となり、イオン化傾向の小さい方の金属が正極となる一方、イオン化傾向の大きい方の金属が負極となる。イオン化傾向の大きい方の金属の負極が電子を放出し、イオン化傾向の小さい金属の正極が電子を受け取るという反応が生じる。これにより、イオン化傾向の異なる２種類の金属が身体の皮膚に接触していることから、身体内に電流を流すことができる。この時、電流は、イオン化傾向の小さい方の金属からイオン化傾向の大きい方の金属へ向けて流れる。この電流は、人が感じることができないほどの微電流である。
【００１１】
このようにして身体内に電流を流すことで、身体に積極的に働きかけて患部を治療することができる。すなわち、身体内を流れる電流により患部の血行が促進され、患部の痛みを積極的に緩和することができる。
【００１２】
また、本発明に係るサポータによれば、サポータ本体にイオン化傾向の異なる２種類の金属を混合した液状の合成樹脂を付着させた後、これを硬化させることで、サポータ本体に電極部を形成することができる。この場合、本発明に係るサポータによれば、イオン化傾向の異なる２種類の金属が合成樹脂に体積比で２０〜４０％混合されているので、サポータ本体に電極部を強固に接着することができる。
【００１３】
また、本発明に係るサポータによれば、イオン化傾向の異なる２種類の金属の内の一方の金属と他方の金属との体積比が１：１であるので、電流を効果的に身体内に流すことができる。
【００１４】
さらに、本発明に係るサポータによれば、電極部が互いに離隔して複数形成されるので、サポータを引き伸ばした際に、電極部が引きちぎられるおそれが少ない。
【図面の簡単な説明】
【００１５】
【図１】本発明のサポータの一実施例を示す右側面図である。
【図２】図１のサポータのＡ−Ａ拡大端面図である。
【図３】図１のサポータの使用状態を示す斜視図である。
【発明を実施するための形態】
【００１６】
以下、本発明のサポータの具体的実施例を図面に基づいて詳細に説明する。
【００１７】
図１から図３は、本発明のサポータの一実施例を示す図であり、図１は右側面図、図２は図１のＡ−Ａ拡大端面図、図３は使用状態を示す斜視図である。本実施例のサポータ１は、身体に装着されるサポータ本体２と、このサポータ本体２の皮膚接触面側に設けられる電極部３とを備えており、膝に装着して使用するものである。
【００１８】
図１に示されるように、サポータ本体２は、丸編みされて、上下方向へ開口した筒状に形成され、筒状の膝部４と、膝部４の上端部に設けられた筒状の上側締付部５と、膝部４の下端部に設けられた下側締付部６とを備える。膝部４は、ゴム編みからなる編地で、その上端部を折り返して縫着することで、上側締付部５が形成されている。下側締付部６は、鹿の子編みからなる編地である。このようにして、サポータ本体２は、伸縮性を有する筒状の部材となっている。
【００１９】
電極部３は、合成樹脂に２種類の粒状または粉状の金属を混合して分散させた樹脂体から形成されている。本実施例では、合成樹脂としてアクリル樹脂が用いられている。また、２種類の金属は、イオン化傾向が異なっており、本実施例では銅とアルミニウムである。ここで、イオン化傾向の異なる２種類の金属の合計は、合成樹脂に対して体積比で２０〜４０％混合されており、本実施例では３０％とされている。また、イオン化傾向の異なる２種類の金属の内の一方の金属と他方の金属との割合は、体積比で１：１とされている。
【００２０】
電極部３は、サポータ本体２に互いに離隔して複数形成されている。図示例では、複数の電極部３，３，…がサポータ本体２の膝部４の内周面に周方向にわたって互いに離隔して形成され、これが上下に離隔して複数形成されている。各電極部３は、側面視円形状とされ、サポータ本体２の内周面から内方へ突出して形成されている。各電極部３では、イオン化傾向の異なる２種類の金属の一部が表面に露出している。本実施例では、各電極部３の直径は、約５ｍｍとされている。このような電極部３は、スクリーン印刷によりサポータ本体２に形成される。
【００２１】
図３に示されるように、本実施例のサポータ１は、電極部３が患部である膝関節に対応しつつ、膝関節近くの大腿から膝関節近くの下腿までを覆うようにして着用される。この際、サポータ１は、上側締付部５により大腿が締め付けられると共に、下側締付部６により下腿が締め付けられて、膝の関節部に保持される。前述したようにサポータ本体２が伸縮性を有しているので、サポータ１は、身体に密着される。これにより、サポータ１の着用時には、電極部３が膝関節の皮膚に接触した状態とすることができる。
【００２２】
電極部３が皮膚に接触した状態では、イオン化傾向の小さい方の金属である銅が正極となる一方、イオン化傾向の大きい方の金属であるアルミニウムが負極となり、皮膚の表面の汗などの水分が電解質となる。従って、サポータ１を着用することで、皮膚内に電流を流すことができる。この際、電流は、イオン化傾向の小さい方の金属である銅からイオン化傾向の大きい方の金属であるアルミニウムへ向けて流れる。
【００２３】
本実施例のサポータ１の場合、膝関節部の皮膚内に電流を流すことができるので、膝関節の痛みを積極的に緩和することができる。また、本実施例のサポータ１の場合、２種類の金属の合計が合成樹脂に体積比で３０％混合されているので、スクリーン印刷時において、サポータ本体２に電極部３を強固に固定することができる。なお、２種類の金属の合計は、合成樹脂に対して体積比で２０〜４０％混合されていればよい。２０％よりも少ない場合には、患部を治療できる程度の電流を流すことができないおそれがある。また、４０％よりも多い場合には、サポータ本体２に電極部３を強固に固定することができず、使用時に電極部３が剥がれてしまうおそれがある。すなわち、本実施例のサポータ１によれば、患部を治療できる程度の電流を確実に得ることができつつ、サポータ本体２に電極部３を強固に接着することができる。
【００２４】
また、本実施例のサポータ１の場合、イオン化傾向の小さい方の金属である銅と、イオン化傾向の大きい方の金属であるアルミニウムとの割合が体積比で１：１とされているので、膝関節部の皮膚内に電流を効果的に流すことができる。これにより、膝関節部の痛みをより確実に和らげることができる。さらに、本実施例のサポータ１の場合、複数の点状の電極部３，３，…が互いに離隔して形成されているので、サポータ１の着用時などにサポータ本体２を引き伸ばした際に、電極部３が引きちぎられるおそれが少ない。すなわち、前述したように複数の電極部３，３，…の集合からなる面が形成されている場合と、この面と同一面積の板状に形成された電極部３が形成されている場合とを比較すると、前者の方が電極部３の破損のおそれが少ない。
【００２５】
本発明のサポータは、前記実施例の構成に限らず適宜に変更可能である。たとえば、前記実施例では、合成樹脂は、アクリル樹脂としたが、シリコン樹脂などのその他の合成樹脂であってもよい。また、前記実施例では、イオン化傾向の異なる２種類の金属として、銅とアルミニウムとを用いたが、これに限定されるものではなく、他の組み合わせであってもよい。
【００２６】
また、前記実施例では、サポータ本体２は、ゴム編みなどにより形成されたが、伸縮性を付与できるその他の編み方で形成してもよい。また、前記実施例では、サポータ本体２は、筒状に形成されたが、これに限定されるものではなく、たとえば帯状に形成してもよい。この場合、サポータ本体は、面ファスナにより腰などの身体の一部に巻き付けられる。さらに、前記実施例では、サポータ１は、膝の関節部に着用されるものとされたが、肘の関節部、脹脛などの身体の一部を筒状に覆うものであってもよい。
【産業上の利用可能性】
【００２７】
本発明は、金属間のイオン化傾向の差により生じる電流を用いて患部を治療するサポータに好適に適用される。
【符号の説明】
【００２８】
１  サポータ
２  サポータ本体
３  電極部
【図１】
2017153513.tif 000003
【図２】
2017153513.tif 000004
【図３】
2017153513.tif 000005